(57)【特許請求の範囲】
【請求項１】
液浸透式のスタンプと、このスタンプを収容するカバー胴体とからなるスタンプ装置であって、前記スタンプに回動部を設けてあり、この回動部を前記スタンプの印面を保持する枠体の側壁の略中央部分に側壁に対して垂直方向外側に突設してなる回動ピンにより構成してある一方、前記カバー胴体に前記スタンプを収容するための開口を形成してあり、このカバー胴体に前記回動ピンを受ける回動受部を設け、この回動受部を、前記カバー胴体の開口の一方端に突設した突出体にこの突出体の先縁から切欠して設けた回動軸受により、前記回動部と前記回動受部とを着脱自在に構成してあり、前記スタンプを前記回動受部の中心を軸として回動させることにより、前記スタンプをカバー胴体の前記開口から出し入れできるように構成してあるとともに、前記スタンプをカバー胴体から略９０°回動させて出したときに、スタンプの印面との反対面がカバー胴体の一端縁に当たるように構成してあることを特徴とするスタンプ装置。
【請求項２】
前記スタンプの印面に直接インキを補充することができるように構成してあることを特徴とする請求項１記載のスタンプ装置。
【請求項３】
上記請求項１又は２に記載のスタンプ装置を装備していることを特徴とする筆記具。
【発明の詳細な説明】
【０００１】
【発明の属する技術分野】
本発明は、液浸透式のスタンプをカバー胴体内に収容してあるスタンプ装置及びこれを装備する筆記具に関する。
【０００２】
【従来の技術】
液浸透式のスタンプをカバー胴体の長手方向からカバー胴体内に収容するスタンプ装置の公知例として、カバー胴体の役割をなす筆記具体の長手方向の側壁を切欠して収容筒を設け、この収容筒の一端の垂直壁面に磁石を固着し、この磁石にスタンプを吸着させて保持する構成からなるものがある（実公平５−２４５３２号公報参照）。
【０００３】
【発明が解決しようとする課題】
上記公知例のスタンプ装置は、スタンプを使用する場合、スタンプを筆記具体の収容筒から別個に取り出して、スタンプを使用していたため、スタンプを紛失しやすいという問題点があった。
【０００４】
【課題を解決するための手段】
上記の課題を解決するために、本発明スタンプ装置は、液浸透式のスタンプと、このスタンプを収容するカバー胴体とからなるスタンプ装置であって、前記スタンプに回動部を設けてあり、この回動部を前記スタンプの印面を保持する枠体の側壁の略中央部分に側壁に対して垂直方向外側に突設してなる回動ピンにより構成してある一方、前記カバー胴体に前記スタンプを収容するための開口を形成してあり、このカバー胴体に前記回動部の回動ピンを受ける回動受部を設け、この回動受部を、前記カバー胴体の開口の一方端に突設した突出体にこの突出体の先縁から切欠して設けた回動軸受により、前記回動部と前記回動受部とを着脱自在に構成してあり、前記スタンプを前記回動受部の中心を軸として回動させることにより、前記スタンプをカバー胴体の前記開口から出し入れできるように構成してあるとともに、前記スタンプをカバー胴体から略９０°回動させて出したときに、スタンプの印面との反対面がカバー胴体の短手方向の一端縁に当たるように構成してあることを特徴とする。
【０００５】
前記スタンプの印面に直接インキを補充することができるように構成してあることを特徴とする。
【０００６】
本発明筆記具は、上記記載の特徴を有するスタンプ装置を装備していることを特徴とする。
【０００７】
【発明の実施の形態】
発明の実施の形態を実施例に基づき図面を参照して説明する。
図１及び図２は本発明に係るスタンプ装置の一実施例を示した正面図である。具体的には、図１はスタンプ装置にキャップを被せてある状態を示す図であり、図２はスタンプ装置とキャップとを分離させてある状態を示す図である。また、図３乃至図５は本発明に係るスタンプ装置の要部を示した拡大斜視図である。具体的には、図３はスタンプを使用していない状態を示す図であり、図４はスタンプを使用可能としてある状態を示す図であり、図５はスタンプをカバー胴体から取り外した状態を示す図である。
【０００８】
本実施例に係るスタンプ装置１はスタンプ２とカバー胴体３とからなり、これにキャップ４を被せることにより、スタンプ装置１とキャップ４とを一体にして携帯することができるように構成している。具体的に、スタンプ２は長方形の印面８とこの印面を囲って保持する枠体９とからなる。本実施例に係るスタンプ２は印面８に直接インキを補充することができる液浸透式のスタンプである。
【０００９】
一方、本実施例に係るカバー胴体３はスタンプ２を収容するスタンプ収容部５と、キャップ４をカバー胴体３に被せた際にキャップ４を装着するキャップ装着部６と、カバー胴体端部７とからなり、少なくともスタンプ収容部５は空洞になっている。スタンプ収容部５の長手方向の側壁及び一方の短手方向の一端縁１６には開口１０が形成されており、この開口１０からカバー胴体３内にスタンプ２を収容することができるように構成してある。また、カバー胴体３にキャップ４を被せて、スタンプ装置１とキャップ４とを一体にして携帯することができるように、スタンプ収容部５の外径はキャップ４の内径より小さく構成してある。また、キャップ４の内側とキャップ装着部６とがクリック係合することにより、カバー胴体３にキャップ４を装着することができるように構成してある。さらに、カバー胴体端部７はキャップ４をカバー胴体３に被せた際にも露出していることが望ましいから、カバー胴体端部７の外径はキャップ４の外径と略同寸法に構成してある。
【００１０】
キャップ４は透明であり、カバー胴体３のスタンプ収容部５及びキャップ装着部６並びにスタンプ２に被せることができるように構成している。また、このキャップ４の外側には携帯用のクリップ１１を設けてある。
【００１１】
また、本発明はスタンプ２を回動させることにより、カバー胴体３から出し入れできるようにしていることを特徴としており、以下のような構成を有する。スタンプ２の印面８を保持する枠体９の長手方向の側壁１２の略中央部分に、回動部１３を設けている。一方、カバー胴体３の開口１０の一方端近傍に、回動部１３の回動を受け、スタンプ２が回動する際に中心が軸となる回動受部１４を設けている。なお、本実施例の回動部１３は、円柱状に構成してあり、枠体９の側壁１２に対して垂直方向外側に突設してなる回動ピンであり（以下、回動ピン１３という。）、回動受部１４は、カバー胴体３のスタンプ収容部５の先端に突出体１５を設け、回動ピン１３が着脱自在になるように、突出体１５の先端から切欠してなる回転軸受である（以下、回動軸受１４という。）。
【００１２】
以上のように構成してある各部材を以下のように組み立てる。先ず、スタンプ２の印面８を外側に向けて、回動ピン１３を突出体１５の先縁から差し込んで、回動ピン１３を回動軸受１４に軸支させる。これにより、回動軸受１４の中心を軸として、スタンプ２を回動させることができる。回動軸受１４により軸支されているスタンプ２を、印面８とカバー胴体３の長手方向に形成した開口１０の両縁とが平行になるまで回動させると、スタンプ２の片側がカバー胴体３の開口１０からスタンプ収容部５内に入り込み、スタンプ２はスタンプ収容部５内に収容される。スタンプ２を使用しなければ、この状態でキャップ４をカバー胴体３に被せるとよい。
【００１３】
一方、スタンプ２を使用したい場合は、キャップ４をカバー胴体３から取り外し、スタンプ収容部５内に収容されているスタンプ２を、回動軸受１４の中心を軸として略９０°回動させると、スタンプ収容部５内に収容されているスタンプ２の印面８との反対面がカバー胴体３の短手方向の一端縁１６に当たる。このとき、スタンプ２とカバー胴体３とがＴ字型の状態になり、スタンプ２とカバー胴体３とのバランスが保たれる。この状態でカバー胴体３のキャップ装着部６又はカバー胴体端部７を把持して押印することにより、印面２に均一な力が加わり、綺麗な印形で押印することができる。
【００１４】
続いて、本発明スタンプ装置は、筆記具に装備して応用することができ、これについては、図６及び図７で示している。具体的には、図６にスタンプ装置付筆記具の実施例に係るスタンプ装置にキャップを被せてある状態を示しており、図７ではこの実施例に係るスタンプ装置とキャップとを分離させてある状態を示している。
【００１５】
本実施例に係るスタンプ装置を装備する筆記具は、スタンプ装置１と筆記具本体２１とからなり、スタンプ装置１は前記実施例と同様、スタンプ２とカバー胴体３とからなり、カバー胴体３にはキャップ４を被せることができるように構成してある。一方、筆記具本体２１はボールペンのペン芯２２、胴体２４からなり、筆記具本体２１を構成する胴体２４に、スタンプ装置１を構成するカバー胴体３を取り付けて一体にしてある。胴体２４の先端は円錐状になっており、その先端２６でペン芯２２のペン先２５を固定することができるように構成してある。
【００１６】
なお、本実施例に係る筆記具はボールペンであるが、ボールペンの替わりにシャープペンシル、万年筆その他の筆記具であってもよい。また、ボールペン、シャープペンシルの場合、複数のペン芯２２を有する筆記具であってもよい。この筆記具に装備したスタンプ装置の実体は図１乃至図５に示したスタンプ装置の実施例と同様であるから同じ番号を付して示した。
【００１７】
さらに、前記スタンプ装置１のスタンプ２は着脱可能であり、スタンプ装置１内にスタンプ２を収容しない状態で、スタンプ装置１をパッケージに収容し、需要者がスタンプ装置１を購入した後に、希望の印面８を記入した葉書を供給者に送付することにより、希望の印面８が需要者のもとへ送られるという販売手段を採ることができる。図８及び図９では本発明に係るスタンプ装置を装備する筆記具をパッケージに収容してある実施例を示している。具体的には、図８では本発明に係るスタンプ装置を装備する筆記具をパッケージに収容してある状態を示しており、図９では上記パッケージを開封した状態を示している。なお、本実施例ではスタンプ装置を装備する筆記具をパッケージに収容しているが、筆記具を有しないスタンプ装置であっても差し障りはない。また、スタンプを定型郵便で郵送するためには包装の厚みが１ｃｍ以下であることが望ましい。そこで本実施例に係るスタンプの厚さを８ｍｍ以下にしてある。
【００１８】
一方、本実施例に係る筆記具を収容するパッケージは、透明合成樹脂で構成してある収容体３１と、紙で構成してある台紙３２とからなる。収容体３１は縦長の板状の透明合成樹脂からなり、本実施例に係る筆記具を収容する部分においては、本実施例に係る筆記具の型に合わせて収容部３３を形設してある。また、収容体３１の両側縁及び下側縁には、台紙３２を差し込むための台紙差し込み片３４を折り込んで設けてある。一方、台紙３２は台紙本体３５と葉書３６とからなり、台紙本体３５の側縁に葉書３６を連ねており、台紙本体３５と葉書３６との境界に折り畳み線３７を形成してある。台紙本体３５は収容体３１と略同形状に構成してあり、収容部３３に収めてある本実施例に係る筆記具を背部から支える役割を有する。葉書３６は定型の大きさに構成してあり、折り畳み線３７を折り畳むと、台紙３２を収容体３１に差し込むことができるように構成してある。
【００１９】
以上のように構成しているパッケージの透明な収容体３１で、本実施例に係るスタンプ装置を装備する筆記具を覆い、台紙３２を台紙差し込み片３４に差し込めば、本実施例に係るスタンプ装置を装備する筆記具をパッケージに収容してある状態となる。
【００２０】
需要者は、収容体３１の裏側に差し込んである台紙３２に設けてある葉書３６に必要事項を記載してこの葉書３６を販売者宛てに郵送すると、販売者は需要者が希望したスタンプ２を作成し、これを需要者に送付する。スタンプ２の厚さは８ｍｍ以下に構成してあり、スタンプ２を封筒に入れて郵送しても１ｃｍに満たないから、定型郵便で郵送することができる。また、送られたスタンプ２の印面８を外側に向けて、回動ピン１３を突出体１５の先縁から差し込んで、回動ピン１３を回動軸受１４に軸支させれば、使用可能な状態となる。
【００２１】
【発明の効果】
本発明に係るスタンプ装置は、液浸透式のスタンプと、このスタンプを収容するカバー胴体とからなるスタンプ装置であって、前記スタンプに回動部を設けてあり、この回動部を前記スタンプの印面を保持する枠体の側壁の略中央部分に側壁に対して垂直方向外側に突設してなる回動ピンにより構成してある一方、前記カバー胴体に前記スタンプを収容するための開口を形成してあり、このカバー胴体に前記回動部の回動ピンを受ける回動受部を設け、この回動受部を、前記カバー胴体の開口の一方端に突設した突出体にこの突出体の先縁から切欠して設けた回動軸受により、前記回動部と前記回動受部とを着脱自在に構成してあり、前記スタンプを前記回動受部の中心を軸として回動させることにより、前記スタンプをカバー胴体の前記開口から出し入れできるように構成してあるとともに、前記スタンプをカバー胴体から略９０°回動させて出したときに、スタンプの印面との反対面がカバー胴体の短手方向の一端縁に当たるように構成してあるから、カバー胴体に収容してあるスタンプを回動させれば、スタンプを押印する状態にすることができ、カバー胴体から外すことなく押印することができる効果がある。また、カバー胴体から外すことなく押印することができるから、スタンプを紛失するおそれがなくなる効果がある。また、スタンプをコンパクトに収容することができ、携帯しやすいスタンプ装置を提供することができる効果がある。前記回動部と前記回動受部とを着脱自在に構成してあるから、スタンプの交換が可能となり、バラエティー豊富なスタンプ装置を提供することができる効果がある。前記カバー胴体の前記開口の一方端に突出体を設け、この突出体の先縁から切欠して、前記回動軸受を形成しているから、回動ピンと回動軸受との着脱作業を容易に行うことができ、スタンプの交換が容易に行える効果がある。また、スタンプの印面の反対面がカバー胴体の短手方向の一端縁に当たったときに、スタンプとスタンプを収容するカバー胴体とがＴ字型の状態になり、スタンプとカバー胴体とのバランスが保たれ、カバー胴体を把持して押印することにより、印面に均一な力が加わり、綺麗な印形で押印することができる効果がある。
【００２２】
前記スタンプの印面に直接インキを補充することができるように構成してあるから、スタンプを構成する枠体内にインキ収容スペースを設ける必要はなくなり、枠体を小型化することができる。即ち、スタンプを収めるカバー胴体の容積を小さくすることができる効果がある。
【００２３】
また、本発明スタンプ装置を装備する筆記具は、上記記載の特徴を有するスタンプ装置を装備してある構成を有するから、スタンプをカバー胴体内に収めた状態でカバー胴体にキャップを被せてあれば、スタンプが邪魔することなく、スタンプ装置を装備していない筆記具と同様に筆記することができる効果がある。その一方、キャップを外して、カバー胴体に設けた回動受部の中心を軸としてスタンプを回動させて、前記カバーを把持した状態でスタンプを押印することができるように位置付ければ、容易に且つ綺麗に押印することができる効果がある。
【図面の簡単な説明】
【図１】  本発明に係るスタンプ装置の一実施例にキャップを被せてある状態を示す正面図である。
【図２】  本実施例に係るスタンプ装置とキャップとを分離させてある状態を示す正面図である。
【図３】  本実施例に係るスタンプ装置を構成するスタンプを使用していない状態を示す斜視図である。
【図４】  本実施例に係るスタンプ装置を構成するスタンプを使用可能としてある状態を示す斜視図である。
【図５】  本実施例に係るスタンプ装置を構成するスタンプをカバー胴体から取り外した状態を示す斜視図である。
【図６】  本発明に係るスタンプ装置を装備する筆記具の一実施例におけるスタンプ装置にキャップを被せてある状態を示す正面図である。
【図７】  本実施例に係るスタンプ装置を装備する筆記具のスタンプ装置とキャップとを分離させてある状態を示す正面図である。
【図８】  本発明に係るスタンプ装置を装備する筆記具をパッケージに収容してある状態を示す正面図である。
【図９】  パッケージに収容してある本発明に係るスタンプ装置を装備する筆記具を開封した状態の背面図である。
【符号の説明】
１  スタンプ装置
２  スタンプ
３  カバー胴体
４  キャップ
５  スタンプ収容部
６  キャップ装着部
７  カバー胴体端部
８  印面
９  枠体
１０  開口
１１  クリップ
１２  側壁
１３  回動ピン
１４  回動軸受
１５  突出体
１６  短手方向の一端縁
２１  筆記具本体
２２  ペン芯
２４  胴体
２５  ペン先
２６  先端
３１  収容体
３２  台紙
３３  収容部
３４  台紙差し込み片
３５  台紙本体
３６  葉書
３７  折り畳み線
【図１】
0003706502.tif 000002
【図２】
0003706502.tif 000003
【図３】
0003706502.tif 000004
【図４】
0003706502.tif 000005
【図５】
0003706502.tif 000006
【図６】
0003706502.tif 000007
【図７】
0003706502.tif 000008
【図８】
0003706502.tif 000009
【図９】
0003706502.tif 000010